(57)【要約】【課題】  量販店に導入されるＰＯＳシステムにおいて、精算時間の短縮と二重精算防止を簡易なシステムで実現することを課題とする。【解決手段】  ＰＯＳレジスターはＩＣチップからの商品情報を短距離無線通信を介して受信する情報受信機能を備え、ＰＯＳレジスターに接続されるサーバーは商品の単価情報と、ＰＯＳレジスターから送信される商品コードとシリアル番号をキーとしてその精算状態を管理する精算フラグを登録する商品情報テーブルを備え、ＰＯＳレジスターはサーバーから取得した単価情報により商品の代金を集計して精算する精算手段を備え、商品情報を取得した際に、商品情報テーブルの精算フラグにフラグオンを設定し登録する精算済登録手段と、商品情報テーブルの精算フラグにフラグオンが設定されている商品を精算対象外とすることを特徴とする。【選択図】図２
2005165576.tif 000002
【特許請求の範囲】
【請求項１】
量販店に導入されるＰＯＳシステムで、利用者が購入する商品の代金を精算する際に、その端末装置であるＰＯＳレジスターにより、購入する商品に関する情報を取得して、取得した情報に基づいた商品代金の精算を行うシステムにおいて、
前記商品を特定するための商品コードと商品毎のシリアル番号が少なくとも予め登録される商品情報と、その商品情報を送信する情報送信機能を備えたＩＣチップが商品の包装媒体あるいはその商品に着脱自在に装着されており、前記ＰＯＳレジスターは、複数の前記ＩＣチップからの商品情報を短距離無線通信を介して連続して受信する情報受信機能を備え、またＰＯＳレジスターに接続されるサーバーは、少なくとも商品の販売単価を含む単価情報と、ＰＯＳレジスターから送信される前記商品コードとシリアル番号をキーとして商品の精算状態を管理する精算フラグを含む精算情報を登録する商品情報テーブルを備え、前記ＰＯＳレジスターは前記サーバーから取得した複数の商品情報に基づいた単価情報により商品の代金を集計して精算する精算手段を備え、前記精算手段は、前記商品情報を取得した際に、前記サーバーの精算フラグにフラグオンを設定し登録する精算済登録手段と、前記サーバーの精算フラグにフラグオンが設定されている商品を精算対象外とする二重精算防止手段とを備えることを特徴とする商品精算システム。
【発明の詳細な説明】
【技術分野】
【０００１】
本発明は、量販店に導入されるＰＯＳシステムにおいて、利用者が購入する商品の代金を精算する際に、その端末装置であるＰＯＳレジスターにより、購入する商品に関する情報を取得して、取得した情報に基づいた商品代金の精算を行うシステムに関するものである。
【背景技術】
【０００２】
量販店に導入されるＰＯＳシステムにおいて、利用者が購入する商品の代金を精算する際に商品を特定するためのＩＣチップに登録された商品情報を、短距離無線通信を介して取得するＰＯＳレジスターにより複数商品の代金を集計して精算するシステムがある。
【０００３】
下記の特許文献１では、商品情報が登録されたＩＣチップに商品の精算状態を管理するための精算フラグを登録する領域を備え、商品代金を集計して精算する精算手段は、商品情報を取得した際に前記精算フラグにフラグオンを設定した精算情報をＩＣチップに登録する精算済登録手段と、ＩＣチップの精算情報の精算フラグにフラグオンが設定されている商品を精算対象外とする二重精算防止手段とを備えることにより、ＰＯＳレジスターの操作担当者による同一商品代金の二重精算などの人為的な精算ミスを防止することができる。
【０００４】
【特許文献１】特開２００３−１３２４２７号公報
【発明の開示】
【発明が解決しようとする課題】
【０００５】
前記特許文献１では、商品の精算状態を管理する精算フラグをＩＣチップの領域で管理するため、精算フラグをＩＣチップに登録する作業が商品毎に発生し、利用者が購入する商品の数量に比例して精算時間が増加する。また、精算フラグをＩＣチップに登録するため、登録漏れが発生する恐れが有り、それを防止するためには登録毎に再度精算フラグを確認する必要があり更に精算時間が増加する。また、ＩＣチップには登録機能、ＰＯＳレジスターにはＩＣチップへの設定機能を備える必要が有り、システム構成が複雑となる。以上のような課題を解決するために本発明では、商品の精算状態を管理する精算フラグを、ＩＣチップの商品コードとシリアル番号をキーとしてＰＯＳレジスターに接続されるサーバの領域で管理する精算するシステムを提供することを目的とする。
【課題を解決するための手段】
【０００６】
上記目的を達成するために、請求項１に記載の発明は、量販店に導入されるＰＯＳシステムにおいて、利用者が購入する商品の代金を精算する際に、その端末装置であるＰＯＳレジスターにより、購入する商品に関する情報を取得して、取得した情報に基づいた商品代金の精算を行うシステムであって、前記商品を特定するための商品コードと商品毎のシリアル番号が少なくとも予め登録される商品情報と、その商品情報を送信する情報送信機能を備えたＩＣチップが商品の包装媒体あるいはその商品に着脱自在に装着されており、前記ＰＯＳレジスターは、複数の前記ＩＣチップからの商品情報を短距離無線通信を介して連続して受信する情報受信機能を備え、またＰＯＳレジスターに接続されるサーバーは、少なくとも商品の販売単価を含む単価情報と、ＰＯＳレジスターから送信される前記商品コードとシリアル番号をキーとして商品の精算状態を管理する精算フラグを含む精算情報を登録する領域を備える。前記ＰＯＳレジスターは前記サーバーから取得した複数の商品情報に基づいた単価情報により商品の代金を集計して精算する精算手段を備える。前記精算手段は、前記商品情報を取得した際に、前記サーバーの精算フラグにフラグオンを設定し登録する精算済登録手段と、前記サーバーの精算フラグにフラグオンが設定されている商品を精算対象外とする二重精算防止手段とを備えることを特徴とする。
【発明の効果】
【０００７】
本発明の購入商品精算システムによれば、量販店の事業者は利用者に対して、従来と比べ、商品毎にＩＣチップに精算情報を登録する作業が不要となるため、購入する商品の代金を精算する精算時間と精算待ち時間を短縮したサービスと二重精算防止を簡易なシステム構成で提供することができる。
【発明を実施するための最良の形態】
【０００８】
以下、本発明の一実施の形態を図に基づいて詳細に説明する。
【０００９】
図１は本発明である購入商品精算システム１００のシステム構成を示す模式図である。図１に示すように購入商品精算システム１００は、商品を特定するためにその商品の包装媒体あるいはその商品に着脱自在に装着されるＩＣチップ１０と、ＩＣチップ１０からの情報を、短距離無線通信１を介して受信するＰＯＳレジスター２０と、ＰＯＳレジスターとの情報を、ＬＡＮ２を介して送受信するサーバー３０とから構成される。
【００１０】
ＩＣチップ１０は、商品コード１１とシリアル番号１２を備える。商品コード１１は、利用者が購入する商品を特定するための商品情報を登録するためのものである。シリアル番号１２は前記商品コード１１においてユニークに割り振られた番号である。
【００１１】
ＰＯＳレジスター２０は、精算手段２１と売上テーブル２２を備える。売上テーブル２２は、利用者が購入した商品の売上情報を登録するためのものである。売上情報には、伝票番号と商品コードからなる検索キー部と、データ部に属する店舗コード、レジスター番号、売上単価、売上数量、売上金額、売上時刻などの情報を登録する。
【００１２】
サーバー３０は、商品情報テーブル３１を備える。図２は商品情報テーブル３１の構成を示す図である。図２に示すように商品情報テーブル３１は、商品の型式毎に割り振られた商品コードと、前記商品コードにおいてユニークに割り振られたシリアル番号と、前記商品コード毎の単価と、前記シリアル番号毎の精算フラグから構成される。精算フラグは、利用者が購入する商品の精算状態を管理するための精算情報を登録するものである。商品情報テーブルの精算フラグにおいては、ＯＮが精算済みで、ＯＦＦが精算未済みである。商品情報テーブル３１は、ＰＯＳレジスター２０から送信された商品コードとシリアル番号に基づき精算フラグを参照し、精算フラグがＯＦＦの場合には単価情報をＰＯＳレジスター２０の精算手段２１に送信し精算フラグをＯＮに更新する。精算フラグがＯＮの場合には精算済み情報をＰＯＳレジスター２０の精算手段２１に送信する。
【００１３】
次に、複数のＩＣチップ１０からの商品コードとシリアル番号を、短距離無線通信１を介して、連続して受信する情報受信機能を備えたＰＯＳレジスター２０の精算手段２１について説明する。図３は、本発明である精算手段における処理手順の流れ図である。精算手段２１は、サーバー３０の商品情報テーブル３１から取得した複数の商品コードに基づいた単価情報と精算済み情報により、商品の商品代金を集計して精算する。
【００１４】
以下に精算手段２１の処理手順を詳細に説明する。
（１）ＩＣチップ１０は、商品コードとシリアル番号をＰＯＳレジスター２０へ送信する。
（２）ＰＯＳレジスター２０からの精算要求信号に応答して、ＩＣチップ１０からの商品コードとシリアル番号を所定の時間内に受信するまでウエイトする。所定の時間が経過してもＩＣチップ１０からの商品コードとシリアル番号が受信されない場合は、（９）の処理へ分岐する。
（３）ウエイトが解除されたら、ＰＯＳレジスター２０が受信した商品コードとシリアル番号をサーバー３０へ送信する。
（４）サーバー３０では、ＰＯＳレジスター２０から受信した商品コードとシリアル番号より商品情報テーブル３１を検索して、精算フラグがＯＦＦの場合には単価情報をＰＯＳレジスター２０の精算手段２１に送信し精算フラグをＯＮに更新する。精算フラグがＯＮの場合には精算済み情報をＰＯＳレジスター２０の精算手段２１に送信する。
（５）ＰＯＳレジスター２０の精算手段２１は、受信した商品コードと取得した単価情報および精算済み情報より売上情報を編集し、売上金額を積算する。
（６）編集した売上情報より売上テーブル２２を更新する。
（７）編集した売上情報に設定された所定の情報をＰＯＳレジスター２０が備える表示装置とプリンター装置に出力する。
（８）再度（２）の処理へ分岐する。
（９）（５）の処理で積算した売上金額をＰＯＳレジスター２０が備える表示装置とプリンター装置に出力する。
【００１５】
以上、本発明の一実施例の形態を詳細に説明したが、本発明は、本実施の形態に限られるものではない。本発明の趣旨から逸脱しない範囲で多様に変更実施することが可能である。
【産業上の利用可能性】
【００１６】
従来システムに比べ、ＩＣチップに精算フラグ登録機能を持つ必要が無いため、ＩＣチップの高機能低価格化を待たずに実現可能であることから、ＰＯＳシステムで広く利用される可能性が有る。
【図面の簡単な説明】
【００１７】
【図１】本発明の購入商品精算システムのシステム構成を示す模式図である。
【図２】本発明の購入商品精算システムの商品情報テーブルである。
【図３】本発明の精算手段における処理の流れ図である。
【符号の説明】
【００１８】
１…短距離無線通信、２…ＬＡＮ、１０…ＩＣチップ、１１…商品コード、１２…シリアル番号、２０…ＰＯＳレジスター、２１…積算手段、２２…売上テーブル、３０…サーバー、３１…商品情報システム、１００…購入商品精算システム。
【図１】
2005165576.tif 000003
【図２】
2005165576.tif 000004
【図３】
2005165576.tif 000005